(57)【要約】【課題】ユーザがどの程度熱中して入力を行ったかを把握できるようにする。【解決手段】タブレット端末１Ａによれば、ＣＰＵ１０は、入力部１５でのお絵かきに関する情報、例えば、描画開始からの作業時間（描画時間）、入力部１５による実入力時間（タッチした時間）、筆圧、描画画面の注視時間、使用した色数、描き直し回数を測定し、測定結果に基づいて、お絵かきに対するユーザの熱中度を算出する。【選択図】図９
2017041117.tif 000002
【特許請求の範囲】
【請求項１】
入力手段と、
前記入力手段での入力に関する情報を測定する測定手段と、
前記測定手段による測定結果に基づいて、前記入力手段での入力に対するユーザの熱中度を算出する算出手段と、
を備える情報処理装置。
【請求項２】
前記測定手段は、前記入力手段による入力開始からの作業時間、前記入力手段による実入力時間、前記入力手段による入力時の筆圧、前記入力手段により入力を行うための画面の注視時間、使用した色数、修正回数のうち少なくとも一つを測定する請求項１に記載の情報処理装置。
【請求項３】
前記入力手段での入力によって生成された複数の成果物を、当該成果物を生成するための入力に対して前記算出手段により算出された熱中度の順番に並べて表示する表示手段を備える請求項１又は２に記載の情報処理装置。
【請求項４】
前記表示手段は、前記複数の成果物を当該成果物を生成するための入力に対して前記算出手段により算出された熱中度の高い順に並べて表示する請求項３に記載の情報処理装置。
【請求項５】
前記成果物は、描画データであり、
前記算出手段は、前記入力手段での描画データ生成のための入力に対するユーザの熱中度を算出する請求項３又は４に記載の情報処理装置。
【請求項６】
入力手段で入力を行う工程と、
前記入力手段での入力に関する情報を測定する工程と、
前記測定の結果に基づいて、前記入力手段での入力に対するユーザの熱中度を算出する工程と、
を含む情報処理方法。
【請求項７】
入力手段を備える情報処理装置に用いられるコンピュータを、
前記入力手段での入力に関する情報を測定する測定手段、
前記測定手段による測定結果に基づいて、前記入力手段での入力に対するユーザの熱中度を算出する算出手段、
として機能させるためのプログラム。
【発明の詳細な説明】
【技術分野】
【０００１】
本発明は、情報処理装置、情報処理方法及びプログラムに関する。
【背景技術】
【０００２】
従来、紙製のノートと同様に自由な書き込みができ、書き込まれた情報を電子化することができる電子ノートが知られている（例えば、特許文献１参照）。
【先行技術文献】
【特許文献】
【０００３】
【特許文献１】特開２００１−３４２６０号公報
【発明の概要】
【発明が解決しようとする課題】
【０００４】
しかしながら、特許文献１に記載の電子ノートを始めとする従来の電子ノートでは、自由な書き込みはできるが、書き込みをしたユーザがどの程度熱中して書き込んだかがわからなかった。
【０００５】
本発明の課題は、ユーザがどの程度熱中して入力を行ったかを把握できるようにすることである。
【課題を解決するための手段】
【０００６】
上記課題を解決するため、請求項１に記載の発明の情報処理装置は、
入力手段と、
前記入力手段での入力に関する情報を測定する測定手段と、
前記測定手段による測定結果に基づいて、前記入力手段での入力に対するユーザの熱中度を算出する算出手段と、
を備える。
【発明の効果】
【０００７】
本発明によれば、ユーザがどの程度熱中して入力を行ったかを把握することが可能となる。
【図面の簡単な説明】
【０００８】
【図１】本実施形態におけるデータ管理システムの全体構成例を示す図である。
【図２】図１の情報処理装置の機能的構成を示すブロック図である。
【図３】図２の熱中度記憶領域、図４の熱中度記憶部のデータ格納例を示す図である。
【図４】図１のサーバ装置の機能的構成を示すブロック図である。
【図５】図４のアカウント情報記憶部のデータ格納例を示す図である。
【図６】図１のタブレット端末のＣＰＵにより実行される成長記録処理Ａを示すフローチャートである。
【図７】親アカウントログイン画面の一例を示す図である。
【図８】子アカウント選択画面の一例を示す図である。
【図９】図６のステップＳ１０において実行されるお絵かき処理を示すフローチャートである。
【図１０】メニュー画面の一例を示す図である。
【図１１】下絵選択画面の一例を示す図である。
【図１２】描画画面の一例を示す図である。
【図１３】図６のステップＳ１２において実行されるＷｅｂ画面表示処理のフローチャートである。
【図１４】Ｗｅｂ画面の一例を示す図である。
【図１５】熱中度順表示画面の一例を示す図である。
【図１６】図１のスマートフォンのＣＰＵにより実行される成長記録処理Ｂを示すフローチャートである。
【発明を実施するための形態】
【０００９】
以下、添付図面を参照して本発明に係る好適な実施形態を詳細に説明する。なお、本発明は、図示例に限定されるものではない。
【００１０】
＜データ管理システム１００の構成＞
図１は、本実施形態のデータ管理システム１００の全体構成例を示す図である。
データ管理システム１００は、図１に示すように、タブレット端末１Ａ、スマートフォン１Ｂ、ＰＣ（Personal Computer）１Ｃ等の情報処理装置１と、サーバ装置２とを備えて構成されている。各情報処理装置１は、それぞれサーバ装置２と通信ネットワークＮを介して通信接続可能である。通信ネットワークＮは、例えば、インターネット回線であり、各装置がインターネット回線に接続するための無線ＬＡＮ（Local Area Network）や移動体通信網等の回線網を含む。なお、各情報処理装置の台数は、特に限定されない。
【００１１】
データ管理システム１００は、タブレット端末１Ａにおいて子供が描画した絵の描画データや、子供（家族）の静止画像、動画像等の子供の成長記録を情報処理装置１によりサーバ装置２にアップロードすると、サーバ装置２においてアップロードされたデータを保存及び管理し、情報処理装置１からの要求に応じて、アップロードされたデータを閲覧可能に提供するシステムである。
【００１２】
＜情報処理装置１の構成＞
図２に、情報処理装置１の機能構成例を示す。図２に示すように、情報処理装置１は、ＣＰＵ（Central Processing Unit）１０、ＲＡＭ（Random Access Memory）１１、記憶部１２、通信部１３、表示部１４、入力部１５、カメラ１６、現在日時取得部１７等を備えて構成され、各部はバス１８により接続されている。
【００１３】
ＣＰＵ１０は、記憶部１２のプログラム記憶部１２１に記憶されているプログラムやサーバ装置２からダウンロードしたプログラムをＲＡＭ１１のワークエリアに展開し、展開したプログラムに従って、各種処理を実行する。
例えば、タブレット端末１ＡのＣＰＵ１０は、後述する成長記録処理Ａを実行することにより、測定手段、算出手段として機能する。
【００１４】
ＲＡＭ１１は、揮発性のメモリであり、ＣＰＵ１０により実行される各種プログラムやこれら各種プログラムに係るデータ等を記憶するワークエリアを有する。
【００１５】
本実施形態において、タブレット端末１ＡのＲＡＭ１１には、熱中度記憶領域１１１が設けられている。熱中度とは、ユーザがどの程度熱中して入力を行ったかを定量的に示す情報である。本実施形態では、入力の例として、子供が入力部１５による入力により絵を描画する場合を説明するが、これに限定されるものではない。
【００１６】
図３に、熱中度記憶領域１１１のデータ格納構造を示す。図３に示すように、熱中度記憶領域１１１には、「家族ＩＤ」、「親アカウント情報」、「子アカウント情報」、「絵のＩＤ」、「日付」、「描画時間」、「筆圧トータル」、「タッチした時間」、「注視時間」、「使った色数」、「描き直し回数」、「熱中度」等の項目を有する熱中度情報を格納するための領域が設けられている。
「家族ＩＤ」、「親アカウント情報」、「子アカウント情報」は、どの家族のどの親ユーザのどの子ユーザが絵を描画したときの熱中度情報であるかを識別するための情報である。「絵のＩＤ」は、描画データを一意に識別するためのＩＤである。新規に作成された絵の描画データの場合、「絵のＩＤ」の欄は空欄となるが、描き直しのためにサーバ装置２から読み出された描画データの場合には、「絵のＩＤ」には読み出された描画データのデータＩＤが格納される。「日付」は絵を描いた日付である。「描画時間」、「筆圧トータル」、「タッチした時間」、「注視時間」、「使った色数」、「描き直し回数」の項目は、それぞれ子ユーザの入力部１５による描画作業中に測定された、入力部１５での描画（入力）に関する情報であり、熱中度を算出するときのパラメータとなる。「熱中度」は、各項目の測定値に基づいて算出した熱中度の値である。
【００１７】
記憶部１２は、ＨＤＤ（Hard Disk Drive）、半導体の不揮発性メモリ等により構成される。記憶部１２には、例えば、図１に示すように、プログラム記憶部１２１が設けられている。
【００１８】
プログラム記憶部１２１には、ＣＰＵ１０で実行されるシステムプログラムや各種処理プログラム、これらのプログラムの実行に必要なデータ等が記憶されている。例えば、プログラム記憶部１２１には、システムプログラムの他、Ｗｅｂブラウザや、情報処理装置１の種類がタブレット端末１Ａやスマートフォン１Ｂである場合には、その種類に応じた成長記録処理を実行するための成長記録アプリケーションプログラム（以下、成長記録アプリと呼ぶ）等が記憶されている。成長記録アプリは、予めサーバ装置２からダウンロードして記憶されたものである。タブレット端末１Ａに対応する成長記録アプリを成長記録アプリＡ、スマートフォン１Ｂに対応する成長記録アプリを成長記録アプリＢと呼ぶ。
これらのプログラムは、コンピュータ読み取り可能なプログラムコードの形態でプログラム記憶部１２１に格納されている。ＣＰＵ１０は、当該プログラムコードに従った動作を逐次実行する。
また、記憶部１２には、自装置の種類を示す端末種別情報や、静止画データ、動画データ等が記憶されている。
【００１９】
通信部１３は、無線ＬＡＮモジュール、ネットワークカード等により構成され、通信ネットワークＮを介してサーバ装置２等の外部装置と通信接続し、データ送受信を行う。
【００２０】
表示部１４は、ＬＣＤ（Liquid Crystal Display）等により構成され、ＣＰＵ１０からの表示制御信号に従って、画面上に各種表示を行う表示手段である。
【００２１】
入力手段としての入力部１５は、ユーザによる入力操作を検出してその入力情報をＣＰＵ１０に出力する。
例えば、情報処理装置１の種類がタブレット端末１Ａやスマートフォン１Ｂの場合、入力部１５は、表示部１４の表面を覆うように透明電極を格子状に配置したタッチパネル等を有し、手指やタッチペン等で押下された位置を検出し、その位置情報を入力情報としてＣＰＵ１０に出力する。ここで、本実施形態において、ユーザがタブレット端末１Ａから入力操作を行うためのタッチペンには、図示しない筆圧検出部が備えられている。ＣＰＵ１０は、通信部１３を介してタッチペンの筆圧検出部により検出された筆圧を取得する。また、入力部１５は、各種機能キー、シャッターキー等を備え、ユーザによる各キーの押下入力を検出してその入力情報をＣＰＵ１０に出力する。
例えば、情報処理装置１がＰＣ１Ｃである場合、入力部１５は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ１０に出力する。
【００２２】
カメラ１６は、情報処理装置１を操作しているユーザを撮影してその撮影画像を取得する。カメラ１６は、レンズ、絞り、ＣＣＤ（Charge Coupled Device）やＣＭＯＳ（Complementary Metal Oxide Semiconductor）等の撮像素子を備え、撮像素子上に被写体の光学像を結像し、その光学像を２次元の画像信号に変換してＣＰＵ１０に出力する。
【００２３】
現在日時取得部１７は、ＲＴＣ（Real Time Clock）等により構成され、現在日時を計測してＣＰＵ１０に出力する。
【００２４】
＜サーバ装置２の構成＞
図４に、サーバ装置２の機能構成例を示す。図４に示すように、サーバ装置２は、ＣＰＵ２０、ＲＡＭ（Random Access Memory）２１、記憶部２２、通信部２３、表示部２４、入力部２５、現在日時取得部２６等を備えて構成され、各部はバス２７により接続されている。
【００２５】
ＣＰＵ２０は、記憶部２２に記憶されているプログラムを読み出してＲＡＭ２１のワークエリアに展開し、展開したプログラムに従って、各種処理を実行する。
【００２６】
ＲＡＭ２１は、揮発性のメモリであり、ＣＰＵ２０により実行される各種プログラムやこれら各種プログラムに係るデータ等を記憶するワークエリアを有する。
【００２７】
記憶部２２は、ＨＤＤ（Hard Disk Drive）、半導体の不揮発性メモリ等により構成される。記憶部２２には、例えば、図４に示すように、プログラム記憶部２２１、アカウント情報記憶部２２２、アップロードデータ記憶部２２３、熱中度記憶部２２４等が設けられている。
【００２８】
プログラム記憶部２２１には、ＣＰＵ２０で実行されるシステムプログラムや各種処理プログラム、これらのプログラムの実行に必要なデータ等が記憶されている。例えば、プログラム記憶部２２１には、情報処理装置１の種類に対応付けて、各装置の種類毎に、Ｗｅｂ画面１４６（図１４参照）、熱中度順表示画面１４７（図１５参照）を表示させるためのＷｅｂアプリを生成するためのプログラム等が記憶されている。また、プログラム記憶部２２１には、情報処理装置１の種類に対応付けて、各装置の種類毎に成長記録アプリ等の情報処理装置１に提供するプログラムが記憶されている。これらのプログラムは、コンピュータ読み取り可能なプログラムコードの形態でプログラム記憶部２２１に格納されている。
【００２９】
アカウント情報記憶部２２２には、サーバ装置２にアクセスする権利を有するユーザのアカウント情報を含むユーザ情報が記憶されている。図５に、アカウント情報記憶部２２２のデータ格納例を示す。図５に示すように、アカウント情報記憶部２２２には、「家族ＩＤ」、「家族名」、「親アカウント情報（識別情報（例えば、メールアドレス）、パスワード）」、「子アカウント情報（識別情報（例えば、なまえ））」、各子アカウントに対応する「子供のデータ（例えば、誕生日、身長、体重、画像等）」が対応付けて記憶されている。
【００３０】
ここで、親アカウントとは、親ユーザに付与された、サーバ装置２にアクセスする権利である。親アカウント情報とは、サーバ装置２にアクセスする権利を有する親ユーザに割り当てられ、その親を識別（認証）するための情報である。子アカウントとは、子ユーザに付与された、サーバ装置２にアクセスする権利である。子アカウント情報とは、サーバ装置２にアクセスする権利を有する子ユーザに割り当てられ、その子を識別するための情報である。子アカウントは、親アカウントの下位に位置付け（対応付け）されており、親アカウントがなければ子アカウントは作成することができない。親アカウントがログインしていれば、子アカウントも使用可能となる。なお、１家族につき、親アカウントは１つ、子アカウントは複数登録することができる。
【００３１】
アップロードデータ記憶部２２３には、情報処理装置１からアップロードされたデータ（例えば、描画データ、コメントデータ、写真データ、動画データ等）に対し、データＩＤ、家族ＩＤ、親アカウント情報、アップロードした子ユーザの子アカウント情報（描画データの場合）又は属性情報（描画データ以外の場合。詳細後述。）、及び日付情報が対応付けて記憶されている。データＩＤは、例えば、データの種類を示す識別子＋シリアル番号により構成されている。
【００３２】
熱中度記憶部２２４には、タブレット端末１Ａから送信された熱中度情報が記憶されている。熱中度記憶部２２４のデータ格納例は、図３に示したものと同様である。
【００３３】
通信部２３は、ネットワークカード等により構成され、通信ネットワークＮを介して情報処理装置１等の外部装置と通信接続し、データ送受信を行う。
【００３４】
表示部２４は、ＬＣＤ（Liquid Crystal Display）等により構成され、ＣＰＵ２０からの表示制御信号に従って、画面上に各種表示を行う。
【００３５】
入力部２５は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ２０に出力する。
【００３６】
現在日時取得部２６は、ＲＴＣ（Real Time Clock）等により構成され、現在日時を計測してＣＰＵ２０に出力する。
【００３７】
＜データ管理システム１００の動作＞
次に、本実施形態におけるデータ管理システム１００の動作について説明する。
まず、タブレット端末１Ａの動作について説明する。
【００３８】
図６に、タブレット端末１Ａによって実行される成長記録処理Ａのフローチャートを示す。成長記録処理Ａは、入力部１５により成長記録アプリＡの起動が指示された際に、ＣＰＵ１０とプログラム記憶部１２１に記憶されている成長記録アプリＡとの協働により実行される。
【００３９】
まず、ＣＰＵ１０は、成長記録アプリＡを起動させ（ステップＳ１）、表示部１４に親アカウントログイン画面１４１を表示させる（ステップＳ２）。
図７に、親アカウントログイン画面１４１の一例を示す。図７に示すように、親アカウントログイン画面１４１には、親アカウントを入力するための親アカウント入力領域１４１ａと、親アカウント入力領域１４１ａに入力したアカウントでログイン（サインイン）することを指示するためのログインボタン１４１ｂと、親アカウントが無く、親アカウントを作成することを指示するためのアカウント作成ボタン１４１ｃと、が設けられている。入力部１５により親アカウント入力領域１４１ａの押下が検出されると、ＣＰＵ１０は、キーボード等を表示し、親アカウントの入力を可能とする。
【００４０】
次いで、ＣＰＵ１０は、入力部１５によりアカウント作成ボタン１４１ｃの押下が検出されたか、又は親アカウント入力領域１４１ａからの入力及びログインボタン１４１ｂの押下が検出されたかを判断する（ステップＳ３）。
【００４１】
入力部１５によりアカウント作成ボタン１４１ｃの押下が検出されたと判断した場合（ステップＳ３；作成）、ＣＰＵ１０は、表示部１４に親アカウント作成画面（図示せず）を表示し、入力部１５による入力に従って親アカウントを作成し（ステップＳ４）、ステップＳ２に戻る。
【００４２】
親アカウント作成画面は、例えば、親アカウント情報（例えば、親ユーザの固有の識別情報（ここでは、メールアドレス）及びパスワード）の入力欄、家族名の入力欄、確定ボタン等が表示された画面である。例えば、ステップＳ４において、ＣＰＵ１０は、入力部１５より親アカウント作成画面の各入力欄から必要事項が入力され、確定ボタンが押下されると、入力欄からの入力された親アカウント情報等を通信部１３によりサーバ装置２に送信する。サーバ装置２のＣＰＵ２０は、通信部２３によりタブレット端末１Ａからの新規の親アカウント情報等を受信すると、家族ＩＤを発行し、アカウント情報記憶部２２２に発行した家族ＩＤ、受信した親アカウント情報及び家族名を記憶し、アカウント作成完了通知をタブレット端末１Ａに送信する。
【００４３】
一方、親アカウントログイン画面１４１において入力部１５により親アカウント入力領域１４１ａからの入力及びログインボタン１４１ｂの押下が検出されたと判断した場合（ステップＳ３；ログイン）、ＣＰＵ１０は、親アカウントに基づくログイン処理を行う（ステップＳ５）。
ステップＳ５において、具体的に、ＣＰＵ１０は、親アカウント入力領域１４１ａから入力された親アカウント情報及び自装置の端末の種類を示す端末種別情報を通信部１３によりサーバ装置２に送信してサーバ装置２にログイン要求を行う。サーバ装置２のＣＰＵ２０は、通信部２３によりタブレット端末１Ａからの親アカウント情報、端末種別情報及びログイン要求を受信すると、アカウント情報記憶部２２２に記憶されている親アカウント情報と照合する。そして、受信した親アカウント情報と一致する親アカウント情報がアカウント情報記憶部２２２に存在した場合、ＣＰＵ２０は、その親アカウント及びこれに対応する子アカウントのアクセスを許可してタブレット端末１Ａに対しアクセス許可通知を送信するとともに、成長記録アプリの実行時に必要となるデータ（例えば、家族ＩＤ、子アカウント情報、子供の画像等）をタブレット端末１Ａに送信する。なお、アクセスが許可された親アカウントの情報及び端末識別情報はログアウトするまでサーバ装置２のＲＡＭ２１に記憶されて管理される。また、タブレット端末１Ａにおいても同様にＲＡＭ１１に記憶されて管理される。
アクセス許可が通知されると、ＣＰＵ１０は、ログインした親アカウントを使用するアカウントとして選択する。
【００４４】
ログイン処理が終了すると、ＣＰＵ１０は、表示部１４に子アカウント選択画面１４２を表示する（ステップＳ６）。
図８に、子アカウント選択画面１４２の一例を示す。図８に示すように、子アカウント選択画面１４２には、子アカウント一覧１４２ａ、子アカウント作成ボタン１４２ｂ、Ｗｅｂ画面遷移ボタン１４２ｃが設けられている。子アカウント一覧１４２ａは、ログインした親アカウントに対応する子アカウントの情報を一覧表示する領域であり、一覧の中から何れかを押下することにより使用する子アカウントとして選択することができる。図８においては、子アカウントが１つ存在する場合を示している。親アカウントに対応する子アカウントがない場合は表示されない。子アカウント作成ボタン１４２ｂは、子アカウントの作成を指示するためのボタンである。Ｗｅｂ画面遷移ボタン１４２ｃは、子供の成長記録を閲覧したり投稿したりするためのＷｅｂ画面１４６（図１４参照）に遷移することを指示するためのボタンである。
【００４５】
子アカウント選択画面１４２において、入力部１５により子アカウント作成ボタン１４２ｂの押下が検出された場合（ステップＳ７；ＹＥＳ）、ＣＰＵ１０は、子アカウントを作成し（ステップＳ８）、ステップＳ７に戻る。具体的には、ＣＰＵ１０は、子アカウント選択画面１４２に新規の子アカウント情報（なまえ）の入力領域及び確定ボタンを表示し、入力部１５により新規の子アカウント情報が入力され、確定ボタンが押下されると、入力された子アカウント情報を親アカウント情報に対応付けてサーバ装置２に送信する。サーバ装置２のＣＰＵ２０は、通信部２３によりタブレット端末１Ａから子アカウント情報及び親アカウント情報を受信すると、アカウント情報記憶部２２２における受信した親アカウント情報に係るレコードの子アカウント情報の領域に、受信した子アカウント情報を記憶する。そして、子アカウント作成完了通知を情報処理装置１に送信する。
【００４６】
子アカウント選択画面１４２において、入力部１５により子アカウントの選択が検出された場合（ステップＳ７；ＮＯ、ステップＳ９；ＹＥＳ）、ＣＰＵ１０は、選択された子アカウントを使用するアカウントとして選択し、お絵かき処理を実行する（ステップＳ１０）。なお、選択されたアカウントの情報は、ＲＡＭ１１に記憶される。
【００４７】
図９に、ステップＳ１０において実行されるお絵かき処理のフローチャートを示す。お絵かき処理は、ＣＰＵ１０と成長記録アプリＡとの協働により実行される。
まず、ＣＰＵ１０は、表示部１４にメニュー画面１４３を表示する（ステップＳ１００）。
図１０に、メニュー画面１４３の一例を示す。図１０に示すように、メニュー画面１４３には、過去に自分（選択された子アカウントに対応するユーザ）が書いた絵の閲覧を指示するための「ＭＹスケッチ」ボタン１４３ａ、お絵かきをすることを指示するための「なにをかこうかな」ボタン１４３ｂ、他の子供のスケッチの閲覧を指示するための「スケッチひろば」ボタン１４３ｃが表示されている。
【００４８】
入力部１５により「なにをかこうかな」ボタン１４３ｂの押下が検出された場合（ステップＳ１０１；ＹＥＳ）、ＣＰＵ１０は、表示部１４に下絵選択画面１４４を表示し、下絵の選択を受け付ける（ステップＳ１０２）。
図１１に、下絵選択画面１４４の一例を示す。図１１に示すように、下絵選択画面１４４には、お絵かきの下絵が描かれた（又はブランクの）スケッチブック１４４ａ、右矢印ボタン１４４ｂ、及び戻るボタン１４４ｃが表示される。入力部１５により右矢印ボタン１４４ｂの押下が検出される毎に、表示される下絵が切り替え表示される。入力部１５によりスケッチブック１４４ａの押下が検出されると、押下されたスケッチブック１４４ａに表示されている下絵が選択される。
【００４９】
入力部１５により下絵の選択（即ち、スケッチブック１４４ａの押下）が検出されず、戻るボタン１４４ｃの押下が検出されると（ステップＳ１０３；ＮＯ、Ｓ１０４；ＹＥＳ）、ＣＰＵ１０は、ステップＳ１００に戻る。
入力部１５により下絵の選択（即ち、スケッチブック１４４ａの押下）が検出されると（ステップＳ１０３；ＹＥＳ）、ＣＰＵ１０は、ステップＳ１１３に移行する。
【００５０】
一方、入力部１５により「ＭＹスケッチ」ボタン１４３ａの押下が検出された場合（ステップＳ１０１；ＮＯ、ステップＳ１０５；ＹＥＳ）、ＣＰＵ１０は、図６のステップＳ９で選択された子アカウントに対応する子ユーザ（即ち、現在タブレット端末１Ａを使用しているユーザ）が過去に描画した絵の履歴画面をサーバ装置２から取得して、表示部１４に履歴画面（図示せず）を表示する（ステップＳ１０６）。
履歴画面は、ユーザが過去に描いた絵を日付順に一覧表示した画面である。この履歴画面に表示された絵の中から所望の絵を選択することにより、選択された絵を読み出して描画を再開することができる。
【００５１】
履歴画面上において、入力部１５により絵の選択操作が検出されると（ステップＳ１０７；ＹＥＳ）、ＣＰＵ１０は、選択された絵に対応する描画データ及び熱中度情報をサーバ装置２から読み出して（ステップＳ１０８）、ステップＳ１１３の処理に移行する。入力部１５により絵の選択が検出されず、図示しない戻るボタンの押下が検出されると（ステップＳ１０９；ＹＥＳ）、ＣＰＵ１０は、ステップＳ１００に戻る。
【００５２】
一方、入力部１５により「スケッチひろば」ボタン１４３ｃの押下が検出された場合（ステップＳ１０１；ＮＯ、ステップＳ１０５；ＮＯ、ステップＳ１１０；ＹＥＳ）、ＣＰＵ１０は、ユーザ以外の他の子供が描画した絵の閲覧画面（図示せず）をサーバ装置２から取得して表示部１４に表示する（ステップＳ１１１）。入力部１５により図示しない戻るボタンの押下が検出されると（ステップＳ１１２；ＹＥＳ）、ＣＰＵ１０は、ステップＳ１００に戻る。
【００５３】
ステップＳ１１３において、ＣＰＵ１０は、描画画面１４５を表示部１４に表示し、お絵かきを開始する（ステップＳ１１３）。
図１２に、描画画面１４５の一例を示す。図１２に示すように、描画画面１４５には、描画領域１４５ａ、クレヨン１４５ｂ、線種選択ボタン１４５ｃ、消しゴム１４５ｄ、「かんせい」ボタン１４５ｅ、「うごかす」ボタン１４５ｆ、「もどる」ボタン１４５ｇ等が設けられている。描画領域１４５ａには、まず、下絵選択画面１４４で選択された下絵、又は、ステップＳ１０８において読み出された絵（ユーザが過去に書いた絵）が表示されている。ユーザが過去に描いた絵が表示されている場合には、その絵から更に加筆、修正を加えることができる。「かんせい」ボタン１４５ｅは、絵が完成したときに押下するボタンである。「うごかす」ボタン１４５ｆは、完成した絵を動かすことを指示するためのボタンである。「もどる」ボタン１４５ｇは、メニュー画面１４３に戻ることを指示するためのボタンである。選択された子アカウントを有するユーザは、クレヨン１４５ｂ及び線種選択ボタン１４５ｃを押下してクレヨン及び線種を選択し、描画領域１４５ａ上で指又はタッチペンを移動させることにより、描画領域１４５ａに絵を描くことができる。
【００５４】
なお、お絵かき開始時に、ＣＰＵ１０は、熱中度記憶領域１１１を初期化し、「なにをかこうかな」ボタン１４３ｂの押下に応じてお絵かきを開始した場合、家族ＩＤ、親アカウント情報、子アカウント情報、及び日付を熱中度記憶領域１１１の対応する領域に書き込む。また、描き直し回数に１を書き込む。「ＭＹスケッチ」ボタン１４３ａの押下に応じてお絵かきを開始した場合、ＣＰＵ１０は、ステップＳ１０８において読み出された熱中度情報を熱中度記憶領域１１１の対応する領域に書き込む。日付は、現在日時取得部１７により取得された日付を書き込む。また、描き直し回数に１を加算する。ここで、「描き直し回数」は、繰り返し描画データを読み出して描き直しを行った回数、即ち、修正回数であり、描画データを読み出す毎に描き直し回数が１カウントアップされる。
【００５５】
お絵かきを開始すると、ＣＰＵ１０は、熱中度を算出するためのパラメータとなる所定の項目の情報の測定を開始する（ステップＳ１１４）。具体的に、ＣＰＵ１０は、お絵かきを開始してからの「描画時間」、「筆圧トータル」、「タッチした時間」、「注視時間」、「使った色数」の各項目の測定を開始する。
【００５６】
「描画時間」は、お絵かきを開始してからの作業時間であり、描画そのものを行っている時間の他、色や線種を選んだりする時間も含む。ＣＰＵ１０は、現在日時取得部１７からの出力に基づいて測定する。
「筆圧トータル」は、お絵かき中にタッチペンによって検出された筆圧の合計であり、タッチペンの筆圧検出部からの出力に基づいて測定する。
「タッチした時間」は、お絵かき中に入力部１５のタッチパネルによりタッチが検出された時間（即ち、実際の描画時間。実入力時間。）であり、現在日時取得部１７とタッチパネルによる検出信号に基づいて測定する。
「注視時間」は、お絵かき中にユーザが描画画面１４５を注視した時間であり、所定時間毎にカメラ１６から入力される撮影画像に基づいて測定する。タブレット端末１Ａの表示部１４の画面をユーザが注視した場合、ユーザの顔が画面に対向することとなるため、ＣＰＵ１０は、例えば、撮影画像に顔認識処理を施し、正面の顔が認識されたか否かに基づいてユーザが描画画面１４５を注視しているか否かを判断し、注視していると判断された時間を測定する。
「使った色数」は、お絵かきに使用された色数であり、描画領域１４５ａに描画されている色数をカウントして測定する。
上記各項目の測定は、熱中度記憶領域１１１の各項目の領域を用いて行われる。「ＭＹスケッチ」ボタン１４３ａの押下に応じてお絵かきを開始した場合、熱中度記憶領域１１１に書き込まれている各項目の値を初期値として測定を行う（即ち、今回の測定値を読み出された測定値に加算する）。
【００５７】
なお、描画中の所定時間毎（例えば、５分毎等）に各項目の値を合計して熱中度を算出し、描画画面１４５に表示することとしてもよい。これにより、描画中の熱中度をリアルタイムにユーザに知らせることができる。
【００５８】
お絵かき開始後、入力部１５により「もどる」ボタン１４５ｅの押下が検出されると（ステップＳ１１５；ＮＯ）、ＣＰＵ１０は、ステップＳ１００の処理に戻る。
お絵かき開始後、入力部１５により「かんせい」ボタン１４５ｅ又は「うごかす」ボタン１４５ｆの押下が検出されると（ステップＳ１１６；ＹＥＳ又はステップＳ１１７；ＹＥＳ）、ＣＰＵ１０は、絵（描画データ）の完成を検出したと判断し、各項目の測定を終了し、各項目の測定値に基づいて、その絵の描画に対するユーザの熱中度を算出する（ステップＳ１１８）。ここでは、例えば、各項目の測定値を合計して熱中度を算出する。なお、各項目の測定値に重み係数を掛けた値を合計して熱中度としてもよい。
【００５９】
次いで、ＣＰＵ１０は、描画領域１４５ａに描画されている絵の描画データに、家族ＩＤ、親アカウント情報、選択されている子アカウントの情報、及び日付情報（「かんせい」ボタン１４５ｅ又は「うごかす」ボタン１４５ｆの押下が検出された日付情報、即ち、完成日付）を対応付けて通信部１３によりサーバ装置２にアップロード（送信）するとともに、熱中度情報（熱中度記憶領域１１１に記憶されている各項目の情報）を通信部１３によりサーバ装置２に送信し（ステップＳ１１９）、お絵かき処理を終了する。
【００６０】
サーバ装置２において、通信部２３によりタブレット端末１Ａから描画データ及び熱中度情報が受信されると、ＣＰＵ２０は、受信した描画データを絵のＩＤ（データＩＤ）、家族ＩＤ、親アカウント情報、子アカウント情報及び日付情報に対応付けてアップロードデータ記憶部２２３に記憶する。なお、新規の描画データを受信した場合は、データＩＤを発行し、発行したデータＩＤ、家族ＩＤ、親アカウント情報、子アカウント情報及び日付情報に対応付けてアップロードデータ記憶部２２３に記憶する。また、受信した熱中度情報を熱中度記憶部２２４に記憶する。
【００６１】
このように、お絵かき処理では、ユーザがどれだけお絵かきに熱中したかの度合いを示す熱中度を測定し、描画データとともにサーバ装置２にアップロードすることができる。
【００６２】
図６に戻り、子アカウント選択画面１４２において、入力部１５によりＷｅｂ画面遷移ボタン１４２ｃの押下が検出された場合（ステップＳ７；ＮＯ、ステップＳ９；ＮＯ、ステップＳ１１；ＹＥＳ）、ＣＰＵ１０は、Ｗｅｂ画面表示処理を実行する（ステップＳ１２）。
【００６３】
図１３に、ステップＳ１２において実行されるＷｅｂ画面表示処理のフローチャートを示す。Ｗｅｂ画面表示処理は、ＣＰＵ１０と成長記録アプリＡ及びＷｅｂブラウザとの協働により実行される。
【００６４】
まず、ＣＰＵ１０は、通信部１３により選択されているアカウント（即ち、親アカウント）に基づいてＷｅｂ画面１４６（図１４参照）のＵＲＬ（Uniform Resource Locator）にアクセスし、サーバ装置２からＷｅｂブラウザ上でＷｅｂ画面１４６を表示するのに必要な画面情報及びＷｅｂ画面１４６上で実行する処理が記述されたプログラム（Ｗｅｂアプリ）をダウンロードする（ステップＳ１２０）。
サーバ装置２のＣＰＵ２０は、受信した親アカウント情報に対応付けてアップロードデータ記憶部２２３に記憶されているデータ及びログイン時の端末識別情報に基づいて、Ｗｅｂブラウザ上でＷｅｂ画面１４６の表示に必要な画面情報及びＷｅｂ画面１４６上で実行する処理が記述されたＷｅｂアプリを生成し、タブレット端末１Ａに送信する。
【００６５】
次いで、ＣＰＵ１０は、表示部１４にＷｅｂ画面１４６を表示する（ステップＳ１２１）。
図１４に、Ｗｅｂ画面１４６の一例を示す。図１４に示すように、アップロード指定領域１４６ａ、時系列表示領域１４６ｂ、家族情報領域１４６ｃ、子供情報領域１４６ｄ、「熱中度順で見る」ボタン１４６ｅ、「閉じる」ボタン１４６ｆ等が表示されている。
アップロード指定領域１４６ａは、アップロード対象のデータ（例えば、コメントデータ、写真データ、動画データ）、その属性、日付情報を指定（入力）し、指定したデータをアップロードするための操作領域であり、コメント入力欄１４６１、写真／動画指定欄１４６２、属性指定欄１４６３、日付指定欄１４６４、アップロードボタン１４６５等が設けられている。
時系列表示領域１４６ｂは、サーバ装置２のアップロードデータ記憶部２２３において、ログインした親アカウントに対応付けて保存されているデータ（描画データ、コメント、写真、動画等）を時系列で並べて表示する領域である。
家族情報領域１４６ｃは、家族の名称等を示す領域である。
子供情報領域１４６ｄは、子アカウントを持っている子ユーザの情報を表示する領域である。なお、子供情報領域１４６ｄに表示されている各子ユーザの情報に対応付けて「非表示」ボタンが設けられており、「非表示」ボタンを押下することにより、押下されたボタンに対応する子ユーザの情報を時系列表示領域１４６ｂに表示しないようにすることができる。
「熱中度順で見る」ボタン１４６ｅは、時系列表示領域１４６ｂに表示されている描画データ、コメント、写真動画のうち、描画データのみを熱中度順にソートして表示する指示を入力するためのボタンである。
「閉じる」ボタン１４６ｆは、Ｗｅｂ画面１４６を閉じることを指示するためのボタンである。
【００６６】
Ｗｅｂ画面１４６において、入力部１５によりアップロード対象のデータの指定操作が検出されると（ステップＳ１２２；ＹＥＳ）、ＣＰＵ１０は、検出された操作に応じてアップロード待ちデータの設定を行う（ステップＳ１２３）。
【００６７】
例えば、ＣＰＵ１０は、Ｗｅｂ画面１４６において、入力部１５によりコメント入力欄１４６１の押下が検出されると、キーボードをアップロード指定領域１４６ａの近傍に表示し、キーボードの押下によって入力されたコメントをアップロード待ちのデータとして設定する。
入力部１５により写真／動画指定欄１４６２の押下が検出されると、ＣＰＵ１０は、記憶部２２の写真や動画の保存されているフォルダの一覧を表示し、その中から入力部１５によりアップロード対象のデータのファイルが指定されると、指定されたファイルをアップロード待ちデータとして設定する。
入力部１５により属性指定欄１４６３の何れかの属性のチェックボックスの押下が検出されると、押下されたチェックボックスの属性に対応するアカウント情報（家族の場合は親アカウント情報）をアップロード対象のデータの属性情報として設定する。
入力部１５により日付指定欄１４６４が押下されると、ＣＰＵ１０は、カレンダーを表示し、カレンダー上から指定された日付をアップロード対象のデータに対応する日付情報として設定する。
【００６８】
なお、日付指定欄１４６４には、過去のみならず、将来の日付を指定することができる。例えば、子供の入学式（予定）、卒業式（予定）等の日付をコメントや学校の写真データ等に対応付けてアップロードすることにより、時系列表示領域１４６ｂに、家族の過去から将来（未来）に亘ってのタイムラインを形成して表示することができる。
【００６９】
入力部１５によりアップロードボタン１４６５の押下が検出されると（ステップＳ１２４；ＹＥＳ）、ＣＰＵ１０は、ステップＳ１２３において設定されたアップロード待ちデータに、家族ＩＤ、親アカウント情報、属性情報及び日付情報を対応付けて通信部１３によりサーバ装置２にアップロード（送信）し（ステップＳ１２５）、ステップＳ１３２に移行する。なお、ＣＰＵ１０は、日付情報が対応付けられていないデータには現在日付を対応付けてアップロードを行う。
サーバ装置２においては、通信部２３により受信したデータをデータＩＤ、家族ＩＤ、親アカウント情報、属性情報に対応するアカウント情報及び日付情報に対応付けてアップロードデータ記憶部２２３に記憶する。
【００７０】
一方、Ｗｅｂ画面１４６において、入力部１５により「非表示にする」ボタンの押下が検出されると（ステップＳ１２２；ＮＯ、ステップＳ１２６；ＹＥＳ）、検出された「非表示にする」ボタンに対応するユーザに係るデータ（そのユーザの子アカウント情報に対応付けられているデータ）を非表示にし（ステップＳ１２７）、ステップＳ１３２に移行する。
【００７１】
一方、Ｗｅｂ画面１４６において、入力部１５により「熱中度順で見る」ボタン１４６ｅの押下が検出されると（ステップＳ１２２；ＮＯ、ステップＳ１２６；ＮＯ、ステップＳ１２８；ＹＥＳ）、ＣＰＵ１０は、熱中度順表示画面１４７の送信を通信部１３を介してサーバ装置２に要求し、サーバ装置２から熱中度順表示画面１４７を表示するのに必要な画面情報を取得して、表示部１４に表示する（ステップＳ１２９）。
【００７２】
熱中度順表示画面１４７は、サーバ装置２のアップロードデータ記憶部２２３においてログインした親アカウントに対応付けて保存されている描画データを熱中度順にソートして表示した画面である。図１５に、熱中度順表示画面１４７の一例を示す。熱中度順表示画面１４７においては、デフォルトでは熱中度の高い順（昇順）に描画データが表示されるが、昇順と降順は順序切り替えボタン１４７ａの押下により切り替えることができる。各描画データには、熱中度を示す数値が対応付けて表示されている。また、熱中度順表示画面１４７においては、各子ユーザの情報に対応付けて「非表示」ボタンが設けられており、「非表示」ボタンを押下することにより、押下されたボタンに対応する子ユーザの描画データを熱中度順表示画面１４７上に表示しないようにすることができる。
【００７３】
このように、熱中度順表示画面１４７では、子ユーザが描いた絵を熱中度の高い順に並べて表示するので、親や祖父母は、子供が熱中して取り組んだ絵、一生懸命描いた絵を優先的に見ることができる。また、子供がどの絵に対して興味を持って一生懸命取り組んだかを知ることができる。
【００７４】
入力部１５により熱中度順表示画面１４７の閉じるボタン１４７ｂの押下が検出されると（ステップＳ１３０；ＹＥＳ）、ＣＰＵ１０は、熱中度順表示画面１４７を閉じて（ステップＳ１３１）、ステップＳ１３２に移行する。
【００７５】
ステップＳ１３２において、入力部１５によりＷｅｂ画面１４６の閉じるボタン１４６ｆの押下が検出されたか否かを判断する（ステップＳ１３２）。入力部１５により閉じるボタン１４６ｆの押下が検出されていないと判断した場合（ステップＳ１３２；ＮＯ）、ＣＰＵ１０は、ステップＳ１２２に戻る。閉じるボタン１４６ｆの押下が検出されたと判断した場合（ステップＳ１３２；ＹＥＳ）、ＣＰＵ１０は、Ｗｅｂ画面１４６を閉じてＷｅｂ画面表示処理を終了する。
【００７６】
次に、スマートフォン１Ｂの動作について説明する。
図１６に、スマートフォン１Ｂによって実行される成長記録処理Ｂのフローチャートを示す。成長記録処理Ｂは、スマートフォン１Ｂにおいて、入力部１５により成長記録アプリＢの起動が指示された際に、ＣＰＵ１０とプログラム記憶部１２１に記憶されている成長記録アプリＢとの協働により実行される。
【００７７】
まず、ＣＰＵ１０は、成長記録アプリＢを起動させ（ステップＳ２１）、表示部１４に親アカウントログイン画面１４１（図７参照）を表示させる（ステップＳ２２）。
【００７８】
次いで、ＣＰＵ１０は、親アカウントログイン画面１４１において入力部１５によりアカウント作成ボタン１４１ｃの押下が検出されたか、又は、親アカウント入力領域１４１ａからの入力及び行われログインボタン１４１ｂの押下が検出されたかを判断する（ステップＳ２３）。
【００７９】
入力部１５によりアカウント作成ボタン１４１ｃの押下が検出されたと判断した場合（ステップＳ２３；作成）、ＣＰＵ１０は、表示部１４に親アカウント作成画面（図示せず）を表示し、入力部１５による入力に従って親アカウントを作成し（ステップＳ２４）、ステップＳ２２に戻る。なお、親アカウントの作成は、上述の図６のステップＳ４で説明したものと同様であるので説明を援用する。
【００８０】
一方、親アカウントログイン画面１４１において入力部１５により親アカウント入力領域１４１ａからの入力及びログインボタン１４１ｂの押下が検出されたと判断した場合（ステップＳ２３；ログイン）、ＣＰＵ１０は、親アカウントでのログイン処理を行う（ステップＳ２５）。ステップＳ２５のログイン処理は、図６のステップＳ５で説明したものと同様であるので説明を援用する。
【００８１】
ログイン処理が終了すると、ＣＰＵ１０は、Ｗｅｂ画面表示処理を実行し（ステップＳ２６）、成長記録処理Ｂを終了する。Ｗｅｂ画面表示処理は、図１３を用いて説明したものと動作主体が異なる（スマートフォン１Ｂとなる）他は同様であるので説明を省略する。ただし、サーバ装置２は、ログイン時に親アカウント情報とともに送られてくる端末種別情報に応じたＷｅｂアプリをログインを行った情報処理装置１に送信するので、Ｗｅｂ画面１４６、熱中度順表示画面１４７の表示態様（縦横比や配置等）はそれぞれ図１４、図１５に示すものとは若干異なる。
【００８２】
次に、ＰＣ１Ｃの動作について説明する。
以下に示すＰＣ１Ｃの動作は、ＣＰＵ１０とプログラム記憶部１２１に記憶されているＷｅｂブラウザとの協働により実行される。
ＰＣ１Ｃにおいて、Ｗｅｂブラウザが起動され、入力部１５によりＷｅｂ画面１６４のＵＲＬが指定されると、ＣＰＵ１０は、通信部１３によりＵＲＬに基づいてサーバ装置２にアクセスする。
サーバ装置２においては、ＰＣ１Ｃからのアクセスを受信すると、ログイン画面を通信部２３によりサーバ装置２に送信する。ログイン画面は、図７に示す親アカウントログイン画面と同様の画面である。
【００８３】
ＰＣ１ＣのＣＰＵ１０は、通信部１３によりログイン画面を受信すると、受信したログイン画面を表示部１４に表示し、入力部１５によるログイン画面からの入力に基づいて、アカウント作成又はログイン処理を行う。アカウント作成、ログイン処理は、上述したものと同様であるので説明を省略する。
ログインを許可すると、サーバ装置２のＣＰＵ２０は、ログイン処理で受信した親アカウント情報に対応付けてアップロードデータ記憶部２２３に記憶されているデータ及びログイン時の端末識別情報に基づいて、Ｗｅｂブラウザ上でＷｅｂ画面１４６の表示に必要な画面情報及びＷｅｂ画面１４６上で実行する処理が記述されたＷｅｂアプリを生成し、ＰＣ１Ｃに送信する。
ＰＣ１Ｃは、通信部１３によりサーバ装置２からＷｅｂブラウザ上でＷｅｂ画面１４６を表示するのに必要な画面情報及びＷｅｂ画面１４６上で実行する処理が記述されたＷｅｂアプリを受信すると、Ｗｅｂアプリに基づいて表示部１４にＷｅｂ画面１４６を表示し、図１３に示すＷｅｂ画面表示処理のステップＳ１２２以降の処理を実行する。
【００８４】
以上説明したように、本実施形態におけるタブレット端末１Ａによれば、ＣＰＵ１０は、入力部１５でのお絵かきに関する情報、例えば、描画開始からの作業時間（描画時間）、入力部１５による実入力時間（タッチした時間）、筆圧、描画画面の注視時間、使用した色数、描き直し回数を測定し、測定結果に基づいて、お絵かきに対するユーザの熱中度を算出する。
従って、ユーザがどの程度熱中してお絵かきを行ったのかを把握することが可能となる。
【００８５】
また、表示部１４は、ユーザからの要求に応じて、描画データを生成するための入力に対して算出された熱中度の順番に描画データを並べて表示した熱中度順表示画面１４７を表示する。従って、子供がどの絵を熱中して描いたかを親や祖父母等が容易に把握することが可能となり、利便性が向上する。また、描画データを熱中度の高い順に並べて表示することで、子供が熱中して描いた絵を優先的に親や祖父母等が閲覧することが可能となる。
【００８６】
なお、上記実施形態における記述内容は、データ管理システム１００の好適な一例であり、これに限定されるものではない。
【００８７】
例えば、上記実施形態においては、ユーザである子供が入力部１５による入力により絵を描画したときの熱中度を算出し、その成果物としての描画データを熱中度順に並べて表示する場合を例にとり説明したが、この例に限定されるものではない。例えば、ユーザが入力部１５により手書き文字や文章データを入力したときの熱中度を算出し、その成果物としての手書き文字データや文章データをその成果物としてもよい。
【００８８】
また、上記実施形態においては、入力作業時間（描画時間）、筆圧、実際の入力時間（タッチ時間）、入力を行うための画面の注視時間、使った色数、描き直し回数（修正回数）の全項目を用いて熱中度を算出することとしたが、これに限定されず、これらの項目のうち少なくとも一つを用いて熱中度を算出すればよい。
【００８９】
また、上記実施形態においては、サーバ装置２において、家族の描画データ、写真、動画、コメント等を記憶したり、これらのデータを時系列順に並べたＷｅｂ画面１４６や描画データを熱中度順に並べた熱中度順表示画面１４７を生成したりすることとしたが、これに限定されない。例えば、タブレット端末１Ａに上記機能を実行するためのプログラムを記憶しておき、タブレット端末１Ａの記憶部１２において、家族の描画データ、写真、動画、コメント等を記憶したり、ＣＰＵ１０において、記憶部１２に記憶されたこれらのデータを時系列順に並べたＷｅｂ画面１４６や描画データを熱中度順に並べた熱中度順表示画面１４７を生成して表示部１４に表示したりすることとしてもよい。
【００９０】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００９１】
その他、データ管理システムを構成する各装置の細部構成及び細部動作に関しても、発明の趣旨を逸脱することのない範囲で適宜変更可能である。
【００９２】
(付記)
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
入力手段と、
前記入力手段での入力に関する情報を測定する測定手段と、
前記測定手段による測定結果に基づいて、前記入力手段での入力に対するユーザの熱中度を算出する算出手段と、
を備える情報処理装置。
＜請求項２＞
前記測定手段は、前記入力手段による入力開始からの作業時間、前記入力手段による実入力時間、前記入力手段による入力時の筆圧、前記入力手段により入力を行うための画面の注視時間、使用した色数、修正回数のうち少なくとも一つを測定する請求項１に記載の情報処理装置。
＜請求項３＞
前記入力手段での入力によって生成された複数の成果物を、当該成果物を生成するための入力に対して前記算出手段により算出された熱中度の順番に並べて表示する表示手段を備える請求項１又は２に記載の情報処理装置。
＜請求項４＞
前記表示手段は、前記複数の成果物を当該成果物を生成するための入力に対して前記算出手段により算出された熱中度の高い順に並べて表示する請求項３に記載の情報処理装置。
＜請求項５＞
前記成果物は、描画データであり、
前記算出手段は、前記入力手段での描画データ生成のための入力に対するユーザの熱中度を算出する請求項３又は４に記載の情報処理装置。
＜請求項６＞
入力手段で入力を行う工程と、
前記入力手段での入力に関する情報を測定する工程と、
前記測定の結果に基づいて、前記入力手段での入力に対するユーザの熱中度を算出する工程と、
を含む情報処理方法。
＜請求項７＞
入力手段を備える情報処理装置に用いられるコンピュータを、
前記入力手段での入力に関する情報を測定する測定手段、
前記測定手段による測定結果に基づいて、前記入力手段での入力に対するユーザの熱中度を算出する算出手段、
として機能させるためのプログラム。
【符号の説明】
【００９３】
１  情報処理装置
１Ａ  タブレット端末
１Ｂ  スマートフォン
１Ｃ  ＰＣ
１０  ＣＰＵ
１１  ＲＡＭ
１１１  熱中度記憶領域
１２  記憶部
１２１  プログラム記憶部
１３  通信部
１４  表示部
１５  入力部
１６  カメラ
１７  現在日時取得部
１８  バス
２  サーバ装置
２０  ＣＰＵ
２１  ＲＡＭ
２２  記憶部
２２１  プログラム記憶部
２２２  アカウント情報記憶部
２２３  アップロードデータ記憶部
２２４  熱中度記憶部
２３  通信部
２４  表示部
２５  入力部
２６  現在日時取得部
２７  バス
【図１】
2017041117.tif 000003
【図２】
2017041117.tif 000004
【図３】
2017041117.tif 000005
【図４】
2017041117.tif 000006
【図５】
2017041117.tif 000007
【図６】
2017041117.tif 000008
【図７】
2017041117.tif 000009
【図８】
2017041117.tif 000010
【図９】
2017041117.tif 000011
【図１０】
2017041117.tif 000012
【図１３】
2017041117.tif 000013
【図１４】
2017041117.tif 000014
【図１５】
2017041117.tif 000015
【図１６】
2017041117.tif 000016
【図１１】
2017041117.tif 000017
【図１２】
2017041117.tif 000018